(57)【要約】　　　（修正有）【課題】尻尾のない犬の生理時に、座ったり動いたりすることによって、その場所や洋服に生理が付着し汚してしまうことや容易に脱げてしまう事を防ぐ。【解決手段】Ｉ字状の生地の本体１に生理用ナプキンをつけ、（羽根を収納できるポケット６付き）マジックテープ（登録商標）のついたバンド２，３を腹部から背中、に巻きつけ４ａ４ｂをとめ、１１ａ１１ｂをとめ８，９を背中から腹部に巻きつけ１０ａ１０ｂをとめ計３箇所を止めることによって脱げやズレ、汚れの付着を防ぐことに役立つ。【選択図】　　図１
2004073172.tif 000002
【特許請求の範囲】
【請求項１】
尻尾のない犬（ウェルシュコーギーなど）に対しＩの字状の生地に婦人用生理ナプキン及び尿漏れパッドなどを敷き、Ｉ字の横バンド部分（両側にマジックテープをつけたもの）で、腹部から背中にかけて巻き、マジックテープでとめる。次にＩ字の縦バンド部分を股の間をとおして背中側にかぶせ、あらかじめ巻いてある横バンドの背中の部分で、再びマジックテープで止め、そして残りの横バンドを、背中から腹部にかけて最初に巻いた横バンドの上を重ねるように巻き、腹部にてマジックテープで止める。上記のように上下三箇所を止めることによってずれや脱げを防ぎ、出血により他の場所を汚すことを防ぐことを目的とした生理用サポートパンツ。
【請求項２】
請求項１の生理用サポートパンツに婦人用の羽根つき生理ナプキンを取り付ける際に、羽を収納するポケットを設けることによりナプキンのずれや羽部分を外部に露出させることを防ぐことを目的とした生理サポートパンツ。
【発明の詳細な説明】
【０００１】
【発明が属する技術分野】
本発明は尻尾の無い犬の生理時に着用させることを目的とした、機能的に工夫を施したサポートパンツに関するものである。
【０００２】
【従来の技術】
従来の市販されている犬用紙パンツや、生理用パンツはゴムなどで締め付ける事によって密着させ、漏れを防ぐ為に股関節をしっかり覆っている。また、脱げ防止の為に尻尾を通して固定する為の尻尾穴がついている。また、紙パンツ等は衛生面を保つため、頻繁に取り替える為に使い捨てタイプとなっている。
【０００３】
【発明が解決しようとする課題】
従来の市販されている犬用紙パンツや生理用パンツは、ゴムなどで締め付ける事によって密着させている為、通気性が悪く、また窮屈なため犬が噛んで脱ごうとしてしまう。更に、股関節が出ないため、歩きにくく、尻尾のない犬（ウェルシュコーギーなど）の場合、尻尾穴に尻尾を通して固定できない為、犬が動き回るうちにずれが生じ脱げてしまうことが多い。例え脱げなくても、ずれて密着していない状態では、隙間から血液が漏れてしまい、汚れた状態のまま座ることによって他の場所を汚してしまう。また尻尾の無い犬の場合、尻尾穴から血液が漏れてきて他の場所を汚してしまう。取り替えるときもしっかり固定するため時間がかかり、飼い主にも犬にとってもストレスとなってしまう。生理中は衛生面を保つため、頻繁に取り替えたいところだが、市販されている犬用紙パンツや生理用パンツは、一枚当たりの単価が高く経済的にも負担が大きい。尻尾の無い犬用に、パンツにサスペンダーをつけたものも販売されているが、金属製の止め具やプラスチック製のバックルを使ったものは、犬にとって万が一の時危険で直接肌に接するため食い込み、肌を痛めやすく犬にとって窮屈である。また前述のパンツ同様脱着に時間がかかる為、飼い主にも犬にとってもストレスとなってしまう。そこで、本発明はこれら前述の欠点を解決することを課題とする。
【０００４】
【課題を解決するための手段】
本発明においては請求項１、２によって上記課題を解決するものである。Ｉの字状の布（伸縮性のある生地）の横バンドの両端にマジックテープをつけることによって脱着に時間をかけず簡単にすることにより、犬や飼い主の精神的負担を軽くした。縦の部分を二重構造にしポケットをつける。そこに生理用ナプキン（羽根付き又は羽根無しどちらでも良い）又は、尿漏れパッドなどを敷く。そのとき羽根付きのナプキンを使用した場合、羽をポケットに差し込むことによって外見にナプキンの羽を露出しないようにすることができる。ナプキンも婦人用を使用できるので犬用に比べたら値段も安価で頻繁に取り替えることができ衛生的である。素材も様々な生地や色を使うことが出来、ファッション性にも優れている。着用するときは腹部から背中にかけてマジックテープをつけた部分をとめ、腹部、そして股をとおり性器に密着させ肛門から背中をおおい背中でずれないようマジックテープでとめる。そして背中から腹部にかけてマジックテープでとめる。犬のウエストサイズをマジックテープによって合わせることができ、上下３箇所で止めることによってずれや脱げを防ぐことができる。背中から腹部のマジックテープと背中のマジックテープをはずすことによってナプキンを取り替えることができ、終わり次第また背中と腹部のマジックテープを止めるだけでよいので簡単である。犬の股関節が出ているので歩きやすく動き回りやすい。さらに通気性も良いので蒸れをふせぐこともできる。尻尾穴があいていないため、穴からの漏れによる汚れを防ぐことができる。
【０００５】
【発明実施の形態】
通気性がよく伸縮性のある布地で作成する。Ｉ字状の本体の先に巻きつける横バンドの方側外面に１箇所、もう一方には内面、外面に１箇所ずつマジックテープをつける。反対側の横バンドにも片側の外面に１箇所、もう一方の内面に１箇所、そして真ん中内面に１箇所つける。合計６箇所にマジックテープを取り付ける。まず最初に、腹部から背中にかけて横方向のバンドを巻きつけ、そしてＩの字の縦の部分をペットの腹部を通し、性器にあてる。そして尻から背中にかぶせる。その時、先に巻いた横バンドの外側に着けておいたマジックテープに、後から巻く横バンドの真ん中に着けておいたマジックテープをあわせて止める。このことによってペットの背中で固定させる。その後、あとのバンドを巻きつけ腹部でとめる。この上中下と、とめることによってずれを完全に防ぎ、確実にペットにフィットさせることができる。色、柄をかえたり、装飾品をつけたり、生地を縁取りすることによって、ファッション性を向上させることができる。
【０００６】
【実施例】
以下添付図面に従って一実施例を説明する。図１は請求項１、２の生理サポートパンツの開いた内側（犬に密着する部分）の平面図を表している。図２は外側の平面図である。１は伸縮性の布地にて形成された請求項１のサポートパンツ本体。２、３は最初に腹部から背中に巻きつける横バンド。４ａ、４ｂ、１０ａ、１０ｂ、１１ａ、１１ｂは６箇所のマジックテープを示し、各番号のａとｂを接着させる。５と７は腹部の下を通る部分で、６はナプキンの羽根をしまう二重構造のポケットである。図１の状態でまず本体をペットの腹部の下に置き、図４のように２，３を腹部から背中に巻きつける。その後、図３のように６の部分に１２のナプキンを敷く。（ナプキンが羽根付の場合は１３の羽根の部分を６に差し込む。）そしてペットの性器にあてる。次に図５のように７を尻の辺りから背中にかぶせるようにし、１１ａのマジックテープを１１ｂのマジックテープに固定する。そして８，９を背中から腹部に巻きつけ１０ａのマジックテープと１０ｂのテープを止める。この３重の固定によってずれを防ぐことができる。図６はペットに装着させた状態を示す。
【０００７】
１０ａ、１０ｂのマジックテープと１１ａ、１１ｂのマジックテープをはずし、図４の状態にすることにより、全部脱がさなくてもナプキンを取り替えることができる。取り替えたら再び、図５の様に７を尻の辺りから背中にかぶせるようにし１１ａのマジックテープを１１ｂのテープにつけ固定する。そして８，９を背中から腹部に巻きつけ１０ａのマジックテープと１０ｂのテープを止めるという簡単な作業だけで手早く替えることができ生理中のペットの衛生を保つことができる。サポートパンツは股関節が出ているためペットにとって動きやすく、自由でペットにも飼い主にとってもストレスを減らすものとなる
【０００８】
本発明の一実施例は上述の如き構成からなるものであるから、生理用として用いることは勿論であるが、排便、排尿用にも使用することができる。今までの犬用の様々なオムツや生理用品では、尻尾がない犬は尻尾がない為、不便なものが多かったが、３箇所を止めることによって尻尾のない犬に対する今までの製品の欠点を改善し利便性を高めることができる
【０００９】
【発明の効果】
上記のように本発明の生理用サポートパンツは生理のときは勿論、吸収性の高いナプキンや、尿漏れパッド等を用いることによって、雄雌問わず排便、排尿にも使用できる。また出かけるときや、車中の移動にも適し、粗相などによる労働やストレスも軽減される。穴が開いていなく、サスペンダーを使用してないため、尻尾の無い犬にとって窮屈さや違和感から開放される。また、過度の締付をなくすことにより長時間の着用も可能となる。複雑な構造ではないため洗濯もしやすく、素材を伸縮性のある色調豊富な生地、洗いやすい生地にすることによって衛生面、ファッション性の向上につながる。今までの犬用の様々なオムツや生理用品では尻尾のない犬には不便なものが多かったが今回の発明は尻尾のない犬に対するそれらの欠点を改善したものであるため、尻尾の無い犬が増え続ける中、これからさらに役に立ち、飼い主とペット相互の負担を軽くする。
【図面の簡単な説明】
【図１】本発明の尻尾の無い犬用生理サポートパンツ本体の内側（犬に密着させる）部分の平面図である
【図２】本発明の尻尾の無い犬用生理サポートパンツ本体の外側の平面図である
【図３】生理用ナプキンを６のポケットにしまう図である
【図４】最初に腹部から背中にかけて巻くバンドをとめた立体図である
【図５】背中部分でマジックテープを固定する立体図である
【図６】ペットにサポートパンツを装着した立体図である
【符号の説明】
１　　サポートパンツ本体
２　　ペットの腹部から背中にかけて巻きつける横バンド
３　　ペットの腹部から背中にかけて巻きつける横バンド
４ａ　ペットの腹部から巻きつけるバンドを背中でとめるマジックテープ
４ｂ　ペットの腹部から巻きつけるバンド背中でとめるマジックテープ
５　　腹部にあたる縦バンド
６　　生理用ナプキンをのせ羽根を収納するポケット下腹部から股部にあたる
７　　肛門から背中にかけてあたる部分
８　　ペットの背中から腹部にかけて巻きつける横バンド
９　　ペットの背中から腹部にかけて巻きつける横バンド
１０ａペットの背中から腹部にかけて巻きつけるバンドをとめるマジックテープ１０ｂペットの背中から腹部にかけて巻きつけるバンドをとめるマジックテープ１１ａ背中であわせてとめるマジックテープ
１１ｂ背中であわせてとめるマジックテープ
１２　婦人用生理用品
１３　婦人用生理用品の羽根部分
【図１】
2004073172.tif 000003
【図２】
2004073172.tif 000004
【図３】
2004073172.tif 000005
【図４】
2004073172.tif 000006
【図５】
2004073172.tif 000007
【図６】
2004073172.tif 000008